(57)【要約】【課題】煩雑な操作を要することなく、所望のマークを登録することができる画像形成装置を提供する。【解決手段】スキャナ１２によって原稿Ｐを読み取って取得した画像データにより示される画像の各画素の濃度値に基づき、当該画像に含まれるマークの領域を抽出し、抽出したマークの領域の画像データを、形成される画像に合成されるマークの画像データとしてＨＤＤ４８に記憶する。【選択図】図４
2008160560.tif 000002
【特許請求の範囲】
【請求項１】
登録対象とするマークを含んだ画像を画素毎の濃度値により示す画像データを取得する取得手段と、
前記取得手段により取得された画像データにより示される画像の各画素の濃度値に基づき、当該画像に含まれる前記マークの領域を抽出する抽出手段と、
前記抽出手段により抽出されたマークの領域に対応する画像データを、形成する画像に合成するマークの画像データとして記憶する記憶手段と、
を備えた画像形成装置。
【請求項２】
前記抽出手段は、前記取得手段により取得された画像データにより示される画像から濃度値が所定閾値以上である画素を検出し、当該画像における当該検出した画素群の外接矩形領域を前記マークの領域として抽出する
請求項１記載の画像形成装置。
【請求項３】
前記抽出手段は、濃度値が前記所定閾値以上である画素で、かつ当該画素から所定距離以内に存在する濃度値が前記所定閾値以上である他の画素の数が所定数未満である場合に、当該画素を検出の対象外とする
請求項２記載の画像形成装置。
【請求項４】
前記抽出手段により抽出されたマークの領域の画像に、当該領域を囲む枠の画像を付加する付加手段をさらに備え、
前記記憶手段は、前記付加手段により枠の画像が付加されたマークの領域の画像データを、形成する画像に合成するマークの画像データとして記憶する
請求項１乃至請求項３の何れか１項記載の画像形成装置。
【請求項５】
前記枠の形状、及び前記マークの領域と前記枠との位置関係を指定する第１指定手段をさらに備え、
前記付加手段は、前記マークの領域の画像に対して前記第１指定手段により指定された形状とされた枠の画像を、前記第１指定手段により指定された位置関係で付加する
請求項４記載の画像形成装置。
【請求項６】
前記第１指定手段は、前記マークの領域と前記枠との位置関係を、当該マークの領域の画像を基準として上下左右の少なくとも１つの方向に対する位置関係として指定するものである
請求項５記載の画像形成装置。
【請求項７】
形成される画像に対してマークを合成する合成領域のサイズを指定する第２指定手段と、
前記抽出手段により抽出されたマークの領域の画像データに対して、当該マークの領域の画像が前記第２指定手段により指定されたサイズに応じたサイズとなるように拡大又は縮小させる画像処理を行う画像処理手段と、
をさらに備えた請求項１乃至請求項６の何れか１項記載の画像形成装置。
【発明の詳細な説明】
【技術分野】
【０００１】
この発明は、画像形成装置に係り、特に、予め登録されているマークを合成して記録用紙に画像を形成する画像形成装置に関する。
【背景技術】
【０００２】
従来、レーザープリンタやデジタル複写機、デジタル複合機等の記録用紙に画像を形成する画像形成装置が知られている。この種の画像形成装置には、形成対象とする画像に、画像形成装置に予め登録されているロゴや機密情報を示すマル秘マークなどのマークを合成することができるものがある。
【０００３】
また、この種の画像形成装置には、例えば、装置本体に設けられたスキャナによって画像を読み取ることにより、形成対象とする画像に合成するマークとして任意のマークを登録することができるものがあり、特許文献１には、読み取った画像から指定された領域をマークとして抽出して登録する技術が開示されている。また、特許文献２には、読み取った画像の固定領域をマークとして抽出して登録する技術が開示されている。
【特許文献１】特開２００３−１４３３８９号公報
【特許文献２】特開２００３−２２４７０６号公報
【発明の開示】
【発明が解決しようとする課題】
【０００４】
しかしながら、上記特許文献１に開示された技術では、読み取った画像からマークとして用いる領域を指定する必要があり、領域を指定する操作が煩雑である、という問題点があった。
【０００５】
また、上記特許文献２に開示された技術では、マークとして用いる領域を、読み取った画像の固定領域に位置させるようにスキャナで画像を読み取らせる必要があり、操作が煩雑である、という問題点があった。
【０００６】
本発明は上記問題点を解決するためになされたものであり、煩雑な操作を要することなく、所望のマークを登録することができる画像形成装置を提供することを目的とする。
【課題を解決するための手段】
【０００７】
上記目的を達成するため、請求項１に記載の発明は、登録対象とするマークを含んだ画像を画素毎の濃度値により示す画像データを取得する取得手段と、前記取得手段により取得された画像データにより示される画像の各画素の濃度値に基づき、当該画像に含まれる前記マークの領域を抽出する抽出手段と、前記抽出手段により抽出されたマークの領域に対応する画像データを、形成する画像に合成するマークの画像データとして記憶する記憶手段と、を備えている。
【０００８】
請求項１記載の発明によれば、取得手段により、登録対象とするマークを含んだ画像を画素毎の濃度値により示す画像データが取得され、抽出手段により、取得手段により取得された画像データにより示される画像の各画素の濃度値に基づき、当該画像に含まれる前記マークの領域が抽出され、記憶手段により、抽出手段により抽出されたマークの領域に対応する画像データが、形成する画像に合成するマークの画像データとして記憶される。なお、上記記憶手段には、ＲＡＭ（Random Access Memory）、フラッシュメモリ（flash memory）等の半導体記憶素子、ｘＤピクチャーカード（xD-Picture Card（登録商標））、コンパクト・フラッシュ（CompactFlash（登録商標））、マイクロドライブ（登録商標）等の可搬記憶媒体やハードディスク等の固定記憶媒体、或いはネットワークに接続されたサーバ・コンピュータ等に設けられた外部記憶装置が含まれる。
【０００９】
このように請求項１記載の発明によれば、取得した画像データにより示される画像の各画素の濃度値に基づき、当該画像に含まれるマークの領域を抽出し、抽出したマークの領域に対応する画像データを、形成する画像に合成するマークの画像データとして記憶手段に記憶しているので、煩雑な操作を要することなく、所望のマークを登録することができる。
【００１０】
なお、本発明の抽出手段は、請求項２記載の発明ように、前記取得手段により取得された画像データにより示される画像から濃度値が所定閾値以上である画素を検出し、当該画像における当該検出した画素群の外接矩形領域を前記マークの領域として抽出してもよい。
【００１１】
特に、請求項２記載の抽出手段は、請求項３記載の発明ように、濃度値が前記所定閾値以上である画素で、かつ当該画素から所定距離以内に存在する濃度値が前記所定閾値以上である他の画素の数が所定数未満である場合に、当該画素を検出の対象外とすることが好ましい。
【００１２】
また、本発明は、請求項４記載の発明ように、前記抽出手段により抽出されたマークの領域の画像に、当該領域を囲む枠の画像を付加する付加手段をさらに備え、前記記憶手段が、前記付加手段により枠の画像が付加されたマークの領域の画像データを、形成する画像に合成するマークの画像データとして記憶してもよい。
【００１３】
また、請求項４記載の発明は、請求項５記載の発明ように、前記枠の形状、及び前記マークの領域と前記枠との位置関係を指定する第１指定手段をさらに備え、前記付加手段が、前記マークの領域の画像に対して前記第１指定手段により指定された形状とされた枠の画像を、前記第１指定手段により指定された位置関係で付加してもよい。
【００１４】
また、請求項５記載の第１指定手段は、請求項６記載の発明ように、前記マークの領域と前記枠との位置関係を、当該マークの領域の画像を基準として上下左右の少なくとも１つの方向に対する位置関係として指定するものであってもよい。
【００１５】
さらに、本発明は、請求項７記載の発明ように、形成される画像に対してマークを合成する合成領域のサイズを指定する第２指定手段と、前記抽出手段により抽出されたマークの領域の画像データに対して、当該マークの領域の画像が前記第２指定手段により指定されたサイズに応じたサイズとなるように拡大又は縮小させる画像処理を行う画像処理手段と、をさらに備えてもよい。
【発明の効果】
【００１６】
以上説明したように、本発明によれば、取得した画像データにより示される画像の各画素の濃度値に基づき、当該画像に含まれるマークの領域を抽出し、抽出したマークの領域に対応する画像データを、形成する画像に合成するマークの画像データとして記憶手段に記憶しているので、煩雑な操作を要することなく、所望のマークを登録することができる、という優れた効果を有する。
【発明を実施するための最良の形態】
【００１７】
以下、図面を参照して、本発明の実施の形態について詳細に説明する。なお、以下では、本発明をデジタル複写機として構成された画像形成装置に適用した場合について説明する。
［第１の実施の形態］
図１には、本実施の形態に係る画像形成装置１０の概略構成が示されている。
【００１８】
同図に示すように、画像形成装置１０は、原稿から画像を読み込み、当該画像を画素毎の濃度値により示す画像データを取得するスキャナ１２と、電子写真方式を用いて記録用紙上へ画像の形成を行う画像形成エンジン部１４と、操作メニューやメッセージ等を表示するタッチパネル・ディスプレイ（以下、「ディスプレイ」という。）１６と、ネットワーク２２に接続され、当該ネットワーク２２に接続された図示しない外部端末と画像データ等の各種データの送受信を行う通信インタフェース（以下、「通信Ｉ／Ｆ」という。）２０と、を備えている。
【００１９】
なお、スキャナ１２は、自動両面原稿送り装置１３を備えており、当該自動両面原稿送り装置１３に載置された原稿に記録された画像を順次に読み取ることができる。
【００２０】
また、画像形成エンジン部１４は、イエロー、マゼンタ、シアン、ブラックの４色のトナーを用いてフルカラーの画像を形成することができる。また、ブラックのトナーのみを用いて白黒の濃淡画像を形成することもできる。
【００２１】
また、ディスプレイ１６は、表面に透過型のタッチパネルが一体的に設けられており、ユーザがディスプレイ１６の表示面に指先にて接触する（タッチ操作する）ことにより画像形成装置１０に対して各種の動作指示を入力することができる。
【００２２】
一方、画像形成装置１０は、装置全体の動作を司るＣＰＵ（中央処理装置）４０と、各種データを一時的に記憶するＲＡＭ４２と、装置全体の動作を制御する制御プログラムや後述するマーク登録処理プログラム、複写処理プログラムを含む各種プログラム等が予め記憶されたＲＯＭ４４と、各種パラメータ等を記憶する不揮発性メモリ４６と、記録用紙に形成される画像に合成するマークの画像データ等の各種データを記憶するハード・ディスク・ドライブ（以下「ＨＤＤ」という。）４８と、画像データに対して拡大や縮小、画像の合成等を含む各種画像処理を行う画像処理部５０と、を備えている。
【００２３】
また、画像形成装置１０は、スキャナ１２による光学的な画像の読み取り動作及び自動両面原稿送り装置１３による原稿送り動作を制御する読取制御部５２と、画像形成エンジン部１４による画像形成処理を制御する画像形成エンジン制御部５４と、ディスプレイ１６への各種情報の表示を制御する表示制御部５６と、ディスプレイ１６に対するユーザによる操作を検出する操作入力検出部５８と、を備えている。
【００２４】
上記ＣＰＵ４０、ＲＡＭ４２、ＲＯＭ４４、不揮発性メモリ４６、ＨＤＤ４８、画像処理部５０、通信Ｉ／Ｆ２０、読取制御部５２、画像形成エンジン制御部５４、表示制御部５６、及び操作入力検出部５８は、システムバスＢＵＳを介して相互に接続されている。従って、ＣＰＵ４０は、ＲＡＭ４２、ＲＯＭ４４、不揮発性メモリ４６及びＨＤＤ４８へのアクセスと、画像処理部５０による画像データに対する拡大や縮小、合成等の各種画像処理の制御と、読取制御部５２を介したスキャナ１２及び自動両面原稿送り装置１３の作動の制御と、画像形成エンジン制御部５４を介した画像形成エンジン部１４の作動の制御と、表示制御部５６を介したディスプレイ１６への操作画面、各種メッセージ等の各種情報の表示の制御と、通信Ｉ／Ｆ２０を介した外部端末との間の各種データの送受信と、を各々行うことができる。また、ＣＰＵ４０は、操作入力検出部５８により検出された操作情報に基づき、ディスプレイ１６に対する操作内容を把握することができる。
【００２５】
ところで、本実施の形態に係る画像形成装置１０は、記録用紙に形成する画像に、予め登録されているマークを合成することができる。また、本実施の形態に係る画像形成装置１０は、ディスプレイ１６にスタンプ登録画面を表示し、当該スタンプ登録画面に対する操作に応じてスキャナ１２によって原稿を読み取ることにより、任意のマークを登録することができる。
【００２６】
図２には、本第１の実施の形態に係る画像形成装置１０のディスプレイ１６に表示されるスタンプ登録画面８０の表示状態の一例を示す概略図が示されている。
【００２７】
同図に示すように、このスタンプ登録画面８０は、登録するマークを対応付ける登録番号を指定するためのコンボボックス８２と、マークに対して枠を付加するか否かを指定するためのコンボボックス８４と、枠を付加する場合に、枠の形状等の各種条件を指定するための枠条件指定領域８６と、スキャナ１２による画像の読み取り開始を指示するための読み取り開始ボタン８８と、を備えている。
【００２８】
また、枠条件指定領域８６は、枠に用いる線の線種を指定するための線種入力部９０と、枠の形状を指定するための形状入力部９２と、枠に用いる線の太さを指定するための太さ入力部９４と、マークと枠との間隔（マージン）を指定するための間隔入力部９６と、を備えている。
【００２９】
なお、コンボボックス８２は、「１」〜「９９」までの番号が予め設定されており、コンボボックス８２に対してタッチ操作を行うことにより、読み取られたマークに対応付ける番号を選択的に指定することが可能となっている。
【００３０】
また、コンボボックス８４は、マークに枠を付加することを指定するための「あり」と、マークに枠を付加しないことを指定するための「なし」が予め設定されており、コンボボックス８４に対してタッチ操作を行うことにより、「あり」及び「なし」の何れかを選択的に指定することが可能となっている。本実施の形態に係る画像形成装置１０は、コンボボックス８４で「あり」が指定されると、枠条件指定領域８６内の各入力部が有効状態になり、コンボボックス８４で「なし」が指定されると枠条件指定領域８６内の各入力部が無効状態になる。
【００３１】
また、線種入力部９０は、実線、破線、一点鎖線などの枠に用いる線種を示す印が予め設定されており、線種入力部９０に設けられた「▲」「▼」ボタンに対してタッチ操作を行うことにより、枠の線種を選択的に指定することが可能となっている。なお、図２に示す線種入力部９０に表示されている「----」は、線種として破線が選択されていることを示している。
【００３２】
また、形状入力部９２は、「○」「△」「□」などの枠の形状を示す印が予め設定されており、形状入力部９２に設けられた「▲」「▼」ボタンに対してタッチ操作を行うことにより、枠の形状を選択的に指定することが可能となっている。なお、図２に示す形状入力部９２に表示されている「○」は、枠として丸形状の枠が選択されていることを示している。
【００３３】
また、太さ入力部９４は、枠に用いる線の太さとして指定可能な値が予め設定されており、太さ入力部９４に設けられた「▲」「▼」ボタンに対してタッチ操作を行うことにより、線の太さを選択的に指定することが可能となっている。
【００３４】
さらに、間隔入力部９６は、マークと枠との間隔として指定可能な値が予め設定されており、間隔入力部９６に設けられた「▲」「▼」ボタンに対してタッチ操作を行うことにより、マークと枠との位置関係を選択的に指定することが可能となっている。
【００３５】
次に、本実施の形態に係る画像形成装置１０の作用を説明する。
【００３６】
ユーザは、マークの登録を行う際、登録するマークが記録された原稿を自動両面原稿送り装置１３に載置する。そして、ユーザは、ディスプレイ１６に表示されたスタンプ登録画面８０に対してマークに対応させる登録番号やマークを囲む枠の有無を指定する操作を行い、枠の有りを指定した場合はさらに枠に用いる線の線種や線の太さ、枠の形状、マークと枠との位置関係を指定する操作を行った後に、読み取り開始ボタン８８に対してタッチ操作を行う。
【００３７】
画像形成装置１０は、スタンプ登録画面８０の読み取り開始ボタン８８に対してタッチ操作が行われたことを検出すると、マーク登録処理を実行する。
【００３８】
次に、図３を参照して、第１の実施の形態に係るマーク登録処理が実行される際の画像形成装置１０の作用を説明する。なお、図３は、このとき、ＣＰＵ４０によって実行されるマーク登録処理プログラムの処理の流れを示すフローチャートである。当該プログラムはＲＯＭ４４の所定の領域に予め記憶されている。
【００３９】
同図のステップ１００では、読取制御部５２を介して自動両面原稿送り装置１３及びスキャナ１２の作動を制御し、自動両面原稿送り装置１３に載置された原稿を読み取り、原稿に記録された画像を示す画像データを取得する。
【００４０】
次のステップ１０２では、上記ステップ１００の処理によって取得された画像データにより示される画像の各画素の濃度値に基づき、当該画像に含まれるマークの領域を抽出する。なお、本実施の形態では、上記画像データにより示される画像の各画素の濃度値が所定閾値以上である画素を検出し、当該画像における当該検出した画素群の外接矩形領域を前記マークの領域として抽出する。
【００４１】
すなわち、スキャナ１２が、例えば、図４（Ａ）に示すような「禁複写」の文字が記録された原稿Ｐの短辺方向をラインセンサ等によって主走査しながら、自動両面原稿送り装置１３によって原稿Ｐを長辺方向に移動させることにより原稿Ｐに記録された画像を読み取り、各画素がマトリクス状に配列して構成された画像を示す画像データを取得するものとした場合、本ステップ１０２では、取得した画像データにより示される画像の主走査方向に画素が配列された各ラインを、主走査方向と直交する副走査方向に対して１ラインずつ順に、各ラインの各画素の濃度値を所定閾値と比較し、濃度値が所定閾値以上になる画素が存在する最初のラインと最後のラインを検出する。そして、本ステップ１０２では、取得した画像データにより示される画像から上記最初のラインと上記最後のラインを含む当該最初のラインと当該最後のラインの間の各ラインを抽出する（図４（Ｂ）参照。）。そして、本ステップ１０２では、抽出した各ラインの各画素の濃度値を主走査方向の順に所定閾値と比較し、濃度値が上記所定閾値以上になる画素が存在する最初の位置と、濃度値が所定閾値以上になる画素が存在する最後の位置を検出し、上記抽出した各ラインの画像における主走査方向の位置が上記最初の位置と上記最後の位置の間の矩形領域をマークの領域として抽出する（図４（Ｃ）参照。）。
【００４２】
なお、上記所定閾値は、抽出するマークの種類や、読み取った画像の平均濃度に応じて値を変更してもよく、また、図示しない設定画面により値を設定（変更）可能としてもよい。
【００４３】
また、スキャナ１２で原稿Ｐを読み取る際に原稿Ｐが傾いていた場合、読み取った画像内でのマークも傾いてしまう。このため、例えば、特開２００１−２９８５８８号公報や特開２００２−２７１５８５号公報に開示された技術を用いて、取得された画像データにより示される画像から原稿Ｐの四隅を抽出し、原稿Ｐの傾き角度を算出して画像の角度補正を行うことが好ましい。
【００４４】
また、原稿Ｐの汚れや、スキャナ１２により原稿Ｐを読み取る際に発生するノイズにより、画像データにより示される画像にマーク以外にノイズが発生している場合がある。このため、本ステップ１０２では、所定閾値以上の濃度になった画素を検出する際に、濃度値が所定閾値以上である画素で、かつ当該画素から所定距離（例えば、１０画素）以内に濃度値が所定閾値以上である他の画素の数が所定数（例えば、５個）未満である場合に、当該画素を検出の対象外とする。
【００４５】
これにより、例えば、図５（Ａ）に示されるマーク（「禁複写」の文字。）を含んだ領域Ａは、ノイズと判定されずに検出の対象になる。また、ドットＢを含んだ領域Ｂは、ドットＢの近傍に濃度値が所定閾値以上の画素の数が所定数未満であるため、ノイズとして検出の対象外になる。さらに、ドットＣを含んだ領域Ｃは、ドットＣの近傍に濃度値が所定閾値以上の画素の数が所定数未満であるため、ノイズとして検出の対象外になる。これにより、図５（Ｂ）に示されるように、マークを含んだ矩形領域Ｄがマークの領域として抽出される。
【００４６】
次のステップ１０８では、スタンプ登録画面８０のコンボボックス８４において、枠を付加することを指定する「あり」が選択されているか否かを判定し、肯定判定となった場合はステップ１１０へ移行する一方、否定判定となった場合は後述するステップ１１６へ移行する。
【００４７】
ステップ１１０では、上記ステップ１０２において抽出されたマークの領域のサイズを求め、次のステップ１１２では、図６に示されるように、抽出したマークの領域の画像に、スタンプ登録画面８０の線種入力部９０において指定された線種で且つ太さ入力部９４において指定された太さの線を用いて、スタンプ登録画面８０の形状入力部９２において指定された形状とされた枠の画像を、間隔入力部９６により指定された位置関係で付加する。
【００４８】
ステップ１１６では、マークの領域の画像を示す画像データを、スタンプ登録画面８０のコンボボックス８２において指定された番号に対応付けてＨＤＤ４８に記憶させ、本マーク登録処理プログラムを終了する。
【００４９】
一方、ユーザは、複写を行う場合、自動両面原稿送り装置１３に原稿を載置し、マークの合成を行う場合に限り、ディスプレイ１６に表示された図示しない複写操作画面に対して、合成するマークの登録番号を指定した後に、複写開始を指示する所定のタッチ操作を行う。
【００５０】
画像形成装置１０は、ディスプレイ１６に表示された複写操作画面に対して複写開始を指示するタッチ操作が行われると、複写処理を実行する。
【００５１】
次に、図７を参照して、複写処理が実行される際の画像形成装置１０の作用を説明する。なお、図７は、このとき、ＣＰＵ４０によって実行される複写処理プログラムの処理の流れを示すフローチャートである。当該プログラムもＲＯＭ４４の所定の領域に予め記憶されている。
【００５２】
同図のステップ２００では、読取制御部５２を介して自動両面原稿送り装置１３及びスキャナ１２の作動を制御し、自動両面原稿送り装置１３に載置された原稿を読み取ることにより、原稿に形成された画像を示す画像データを取得する。
【００５３】
次のステップ２０２では、ユーザによって指定された登録番号に対応付けられた画像データをＨＤＤ４８から読み出し、上記ステップ２００の処理によって取得された画像データにより示される画像に対して、当該読み出した画像データにより示されるマークの画像を合成する。
【００５４】
次のステップ２０４では、画像形成エンジン制御部５４を介して画像形成エンジン部１４の作動の制御し、上記ステップ２０２において合成した合成画像を記録用紙に形成して本複写処理プログラムを終了する。
【００５５】
以上のように、本実施の形態によれば、スキャナ１２によって原稿を読み取って取得した画像データにより示される画像の各画素の濃度値に基づき、当該画像に含まれるマークの領域を抽出し、抽出したマークの領域の画像データを、形成される画像に合成されるマークの画像データとしてＨＤＤ４８に記憶させるので、煩雑な操作を要することなく、所望のマークを登録することができる。
【００５６】
また、本実施の形態によれば、取得された画像データにより示される画像から濃度値が所定閾値以上である画素を検出し、当該画像における当該検出した画素群の外接矩形領域をマークの領域として抽出しているので、マークの領域を適切に抽出することができる。
【００５７】
また、本実施の形態によれば、濃度値が所定閾値以上である画素で、かつ当該画素から所定距離以内に存在する濃度値が前記所定閾値以上である他の画素の数が所定数未満である場合に、当該画素を検出の対象外としているので、画像に含まれるノイズをマークとして抽出してしまうことを抑制することができる。
【００５８】
さらに、本実施の形態によれば、抽出されたマークの領域の画像に、当該領域を囲む枠の画像を付加することができるため、形成対象の画像にマークを合成した際にマークが目立ち易くなる。
【００５９】
［第２の実施の形態］
本第２の実施の形態では、マークの領域と枠との位置関係を、当該マークの領域の画像を基準として上下左右個別に指定する場合の形態例について説明する。なお、第２の実施の形態に係る画像形成装置１０の構成は、上記第１の実施の形態（図１参照。）と同一であるため、ここでの詳細な説明は省略する。
【００６０】
図８には、第２の実施の形態に係るディスプレイ１６に表示されるスタンプ登録画面８０の表示状態の一例を示す概略図が示されている。なお、同図における図２と同一の構成要素には図２と同一の符号を付して、その説明を省略する。
【００６１】
同図に示すように、スタンプ登録画面８０の枠条件指定領域８６は、マークの領域と枠との位置関係を、当該マークの領域の画像を基準として上下左右個別に指定するための４個の間隔入力部９６Ａ、９６Ｂ、９６Ｃ、９６Ｄを備えている。
【００６２】
間隔入力部９６Ａは、マークの領域の画像を基準としてマークの領域の上方向のエッジ部分と枠との間隔が指定可能であり、間隔入力部９６Ｂは、マークの領域の画像を基準としてマークの領域の右方向のエッジ部分と枠との間隔が指定可能であり、間隔入力部９６Ｃは、マークの領域の画像を基準としてマークの領域の下方向のエッジ部分と枠との間隔が指定可能であり、間隔入力部９６Ｄは、マークの領域の画像を基準としてマークの領域の左方向のエッジ部分と枠との間隔が指定可能となっている。
【００６３】
ユーザは、マークの登録を行う際、ディスプレイ１６に表示されたスタンプ登録画面８０に対してマークに対応させる登録番号やマークを囲む枠の有無を指定する操作を行い、枠の有りを指定した場合はさらに４個の間隔入力部９６Ａ、９６Ｂ、９６Ｃ、９６Ｄにマークの領域と枠との位置関係を個別に指定した後に、読み取り開始ボタン８８に対してタッチ操作を行う。
【００６４】
次に、図９を参照して、第２の実施の形態に係るマーク登録処理が実行される際の画像形成装置１０の作用を説明する。なお、同図における図３と同一の処理には図３と同一の符号を付して、その説明を省略する。
【００６５】
ステップ１１４では、線種入力部９０において指定された線種で且つ太さ入力部９４において指定された太さの線を用いて、スタンプ登録画面８０の形状入力部９２において指定された形状かつ、間隔入力部９６Ａ、９６Ｂ、９６Ｃ、９６Ｄにより指定された位置関係で枠の画像を付加する。
【００６６】
以上のように、本実施の形態によれば、マークの領域と枠との間隔を、当該マークの領域の画像を基準として上下左右個別に指定できるため、マークの領域に所望の位置関係で枠を付加することができる。
【００６７】
［第３の実施の形態］
本第３の実施の形態では、マークを合成する合成領域のサイズを指定し、マークのサイズを当該合成領域のサイズに変更する場合の形態例について説明する。なお、第３の実施の形態に係る画像形成装置１０の構成は、上記第１の実施の形態（図１参照。）と同一であるため、ここでの詳細な説明は省略する。
【００６８】
図１０には、第３の実施の形態に係るディスプレイ１６に表示されるスタンプ登録画面８０の表示状態の一例を示す概略図が示されている。なお、同図における図２と同一の構成要素には図２と同一の符号を付して、その説明を省略する。
【００６９】
同図に示すように、スタンプ登録画面８０の枠条件指定領域８６は、形成される画像に対してマークを合成する合成領域のサイズを指定するための２個のサイズ入力部９８Ａ、９８Ｂと、合成領域のサイズに合わせてマークのサイズの変更を指定するチェックボックス９９と、を備えている。
【００７０】
サイズ入力部９８Ａは、合成領域の縦方向のマークのサイズが指定可能であり、サイズ入力部９８Ｂは、合成領域の横方向のマークのサイズが指定可能となっている。
【００７１】
ユーザは、マークの登録を行う際、ディスプレイ１６に表示されたスタンプ登録画面８０に対してマークに対応させる登録番号やマークを囲む枠の有無を指定する操作を行い、枠の有りを指定した場合は、チェックボックス９９に合成領域のサイズに合わせてマークのサイズの変更するか否かを指定すると共に、サイズ入力部９８Ａ、９８Ｂに合成領域のサイズを指定した後に、読み取り開始ボタン８８に対してタッチ操作を行う。
【００７２】
次に、図１１を参照して、第３の実施の形態に係るマーク登録処理が実行される際の画像形成装置１０の作用を説明する。なお、同図における図３と同一の処理には図３と同一の符号を付して、その説明を省略する。
【００７３】
次のステップ１０４では、チェックボックス９９に対して合成領域のサイズに合わせてマークのサイズを変更する指定がなされているか否かを判定し、肯定判定となった場合はステップ１０６へ移行する一方、否定判定となった場合は後述するステップ１０８へ移行する。
【００７４】
ステップ１０６では、ステップ１０２において抽出されたマークの領域の画像データに対して、当該マークがサイズ入力部９８Ａ及びサイズ入力部９８Ｂにより指定された合成領域のサイズとなるように拡大又は縮小させる画像処理を行う。
【００７５】
これにより、図１２に示されるように、マークのサイズを変更する指定がなされている場合は、マークがサイズ入力部９８Ａ及びサイズ入力部９８Ｂにより指定された合成領域のサイズとなるように拡大された後にＨＤＤ４８に記憶され、マークのサイズを変更する指定がなされていない場合は、そのままＨＤＤ４８に記憶される。
【００７６】
以上のように、本実施の形態によれば、マークを合成する合成領域のサイズを指定し、当該サイズに読み取ったマークの領域のサイズを変更しているので、合成領域のサイズに合ったサイズのマークを合成することができる。
【００７７】
なお、上記第１乃至第３の実施の形態では、スキャナ１２によりマークが記録された原稿を読み取ることによりマークを登録する場合について説明したが、本発明はこれに限定されるものではなく、例えば、ネットワーク２２を介して外部端末から受信することにより取得された画像データによって示される画像からマークを抽出するものとしてもよい。この場合も、上記各実施の形態と同様の効果を奏することができる。
【００７８】
また、上記第２の実施の形態によれば、マークの領域と枠との間隔を、当該マークの領域の画像を基準として上下左右個別に指定する場合について説明したが、本発明はこれに限定されるものではなく、例えば、上下左右の少なくとも１つの方向に対する位置関係として指定するものであもよい。この場合は、指定されない部分の間隔を予め定められた間隔とすればよい。
【００７９】
また、上記第３の実施の形態では、得られたマークの領域の画像データに対して、当該マークのサイズを合成領域のサイズとなるように拡大又は縮小させる画像処理を行なった後に、ＨＤＤ４８に記憶させる場合について説明したが、本発明はこれに限定されるものではなく、例えば、得られたマークの領域の画像データをＨＤＤ４８に記憶させ、形成対処の画像に合成する際に、当該画像データに対して、当該マークのサイズを合成領域のサイズとなるように拡大又は縮小させる画像処理を行なうものとしてもよい。合成領域のサイズが、取得した画像データにより示されるマークの領域のサイズよりも大きい場合、形成対処の画像に合成する際に拡大する画像処理を行なうことにより、マークの領域の画像データを記憶するＨＤＤ４８の記憶容量を少なく抑えることができる。
【００８０】
その他、上記第１乃至第３の実施の形態で説明した画像形成装置１０の構成（図１参照。）は一例であり、本発明の主旨を逸脱しない範囲内において適宜変更可能であることは言うまでもない。
【００８１】
また、上記第１乃至第３の実施の形態で説明したスタンプ登録画面（図２、図８及び図１０参照。）も一例であり、本発明の主旨を逸脱しない範囲内において適宜変更可能であることは言うまでもない。
【００８２】
さらに、上記第１乃至第３の実施の形態で説明したマーク登録処理プログラム（図３、図９及び図１１参照。）及び複写処理プログラム（図７参照。）の処理の流れも一例であり、本発明の主旨を逸脱しない範囲内において適宜変更可能であることは言うまでもない。
【図面の簡単な説明】
【００８３】
【図１】実施の形態に係る画像形成装置の構成を示すブロック図である。
【図２】第１の実施の形態に係るスタンプ登録画面の表示状態例を示す概略図である。
【図３】第１の実施の形態に係るマーク登録処理プログラムの処理の流れを示すフローチャートである。
【図４】第１の実施の形態に係るマーク登録処理プログラムによるマークを登録する際の流れを示す模式図である。
【図５】実施の形態に係るノイズを除去する際の流れを示す模式図である。
【図６】実施の形態に係るマークの領域の画像に枠を付加して登録する際の流れを示す模式図である。
【図７】実施の形態に係る複写処理プログラムの処理の流れを示すフローチャートである。
【図８】第２の実施の形態に係るスタンプ登録画面の表示状態例を示す概略図である。
【図９】第２の実施の形態に係るマーク登録処理プログラムの処理の流れを示すフローチャートである。
【図１０】第３の実施の形態に係るスタンプ登録画面の表示状態例を示す概略図である。
【図１１】第３の実施の形態に係るマーク登録処理プログラムの処理の流れを示すフローチャートである。
【図１２】第３の実施の形態に係るマークを登録する際の流れを示す模式図である。
【符号の説明】
【００８４】
１０  画像形成装置
１２  スキャナ（取得手段）
１６  ディスプレイ
２０  通信Ｉ／Ｆ（取得手段）
４０  ＣＰＵ（抽出手段、付加手段）
４８  ＨＤＤ（記憶手段）
５０  画像処理部（画像処理手段）
８０  スタンプ登録画面
９２  形状入力部（第１指定手段）
９６  間隔入力部（第１指定手段）
９６Ａ  間隔入力部（第１指定手段）
９６Ｂ  間隔入力部（第１指定手段）
９６Ｃ  間隔入力部（第１指定手段）
９６Ｄ  間隔入力部（第１指定手段）
９８Ａ  サイズ入力部（第２指定手段）
９８Ｂ  サイズ入力部（第２指定手段）
【図１】
2008160560.tif 000003
【図２】
2008160560.tif 000004
【図３】
2008160560.tif 000005
【図４】
2008160560.tif 000006
【図５】
2008160560.tif 000007
【図６】
2008160560.tif 000008
【図７】
2008160560.tif 000009
【図８】
2008160560.tif 000010
【図９】
2008160560.tif 000011
【図１０】
2008160560.tif 000012
【図１１】
2008160560.tif 000013
【図１２】
2008160560.tif 000014